(57)【要約】      （修正有）【課題】金型の部位による表面形状に応じて、作業者が塗型剤を連続噴射するか又は間欠的に噴射するかを選択でき、結果として金型の全表面に塗型剤を均一且つ充分に塗布することができ、また金型の表面温度の低下を少なくすることができる塗型剤のスプレー装置を提供する。【解決手段】スプレーガン１１の圧縮空気供給口１５とコンプレッサ２１との間に、電磁弁５２を開の状態にして圧縮空気を連続供給する第１供給系５１と、電磁弁６２の間欠的な開閉を繰り返して圧縮空気を間欠的に供給する第２供給系６１とを並列で設け、双方の電磁弁を制御部４１に接続して、該制御部のスイッチ操作により、圧縮空気の供給を停止するか、第１供給系を介して圧縮空気を連続供給するか又は第２供給系を介して圧縮空気を間欠的に供給するかを選択する。【選択図】図１
0003175522.tif 000002
【実用新案登録請求の範囲】
【請求項１】
スプレーガンと、該スプレーガンの塗型剤吸引口に取付けられたタンクと、該スプレーガンの圧縮空気供給口に接続されたコンプレッサとを備え、コンプレッサから圧縮空気供給口を介してスプレーガンに供給した圧縮空気を該スプレーガンの噴射ノズルから噴射し、これと共にタンクから塗型剤吸引口を介してスプレーガンに吸引した塗型剤を噴射するようにした塗型剤のスプレー装置において、スプレーガンの圧縮空気供給口とコンプレッサとの間に、電磁弁を開の状態にして圧縮空気を連続供給する第１供給系と、電磁弁の間欠的な開閉を繰り返して圧縮空気を間欠的に供給する第２供給系とを並列で設け、双方の電磁弁を制御部に接続して、該制御部のスイッチ操作により、圧縮空気の供給を停止するか、第１供給系を介して圧縮空気を連続供給するか又は第２供給系を介して圧縮空気を間欠的に供給するかを選択できるようにして成る塗型剤のスプレー装置。
【請求項２】
第１供給系及び第２供給系が、スプレーガンの圧縮空気供給口側に接続した方向制御弁と、コンプレッサ側に接続したレギュレータとの間に、それぞれ電磁弁を設けたものである請求項１記載の塗型剤のスプレー装置。
【請求項３】
第２供給系の電磁弁が、制御部からの信号により、０．０６秒間の開の状態を１秒間に９〜１６回、間欠的に繰り返すようにした請求項１又は２記載の塗型剤のスプレー装置。
【請求項４】
第２供給系の電磁弁が、制御部からの信号により、０．０６秒間の開の状態を１秒間に１４〜１６回、間欠的に繰り返すようにした請求項１又は２記載の塗型剤のスプレー装置。
【考案の詳細な説明】
【技術分野】
【０００１】
本考案は塗型剤のスプレー装置に関する。金型内に金属溶湯を注入し、冷却後に離型して、鋳物を製造するとき、鋳物の離型性を良くして金型を保護すると共に製造効率を高め、また形状や表面肌等の物性に優れた鋳物を得るため、金型表面に塗型剤を塗布することが行なわれる。塗型剤の塗布には一般に、人が手でスプレーガンを操作するのが一般的であるが、本考案はかかる操作を電気的に制御するスプレー装置の改良に関する。
【背景技術】
【０００２】
従来、前記のようなスプレーガンを用いた塗型剤のスプレー装置として、スプレーガンと、該スプレーガンの塗型剤吸引口に取付けられたタンクと、該スプレーガンの圧縮空気供給口に接続されたコンプレッサとを備え、コンプレッサから圧縮空気供給口を介してスプレーガンに供給した圧縮空気を該スプレーガンの噴射ノズルから噴射し、これと共にタンクから塗型剤吸引口を介してスプレーガンに吸引した塗型剤を噴射するようにしたものが種々知られている（例えば特許文献１及び２参照）。これら塗型剤のスプレー装置のなかには、圧縮空気をスプレーガンに間欠的に供給して該スプレーガンから間欠的に噴射し、これと共に塗型剤を間欠的に噴射するようにしたものも知られている（例えば特許文献３及び４参照）。
【０００３】
しかし、特許文献１や２のように、スプレーガンに連続供給した圧縮空気を該スプレーガンから連続噴射し、これと共に塗型剤を連続噴射する従来のスプレー装置には、金型の比較的形状変化の少ない平面的な部位では塗型剤を充分且つ均一に塗布することができるが、金型の比較的形状変化の大きい、言い替えれば金型の凹凸差の激しい複雑な形状の部位では、一旦塗布した塗型剤が圧縮空気によって吹き飛んでしまい、結果として塗型剤を充分且つ均一に塗布することが難しいという問題があり、またかかる複雑な形状の部位では金型の表面温度の低下も大きいという問題がある。逆に特許文献３や４のように、スプレーガンに間欠的に供給した圧縮空気を該スプレーガンから間欠的に噴射し、これと共に塗型剤を間欠的に噴射する従来のスプレー装置には、金型の比較的形状変化の大きい、言い替えれば凹凸差の激しい複雑な形状の部位では、塗型剤を相応にして充分且つ均一に塗布することができ、金型の表面温度の低下も少ないが、金型の比較的形状変化の少ない平面的な部位では塗型剤を充分且つ均一に塗布することが難しいという問題がある。
【先行技術文献】
【特許文献】
【０００４】
【特許文献１】特開昭６０−８４１７６号公報
【特許文献２】実開昭６１−８７６４０号公報
【特許文献３】特開平１０−１１３６０２号公報
【特許文献４】特開２０１１−５６３５１号公報
【考案の概要】
【考案が解決しようとする課題】
【０００５】
本考案が解決しようとする課題は、金型の部位による表面形状に応じて、作業者が塗型剤を連続噴射するか又は間欠的に噴射するかを選択でき、結果として金型の全表面に塗型剤を均一且つ充分に塗布することができ、また金型の表面温度の低下も少なくすることができる塗型剤のスプレー装置に関する。
【課題を解決するための手段】
【０００６】
前記の課題を解決する本考案は、スプレーガンと、該スプレーガンの塗型剤吸引口に取付けられたタンクと、該スプレーガンの圧縮空気供給口に接続されたコンプレッサとを備え、コンプレッサから圧縮空気供給口を介してスプレーガンに供給した圧縮空気を該スプレーガンの噴射ノズルから噴射し、これと共にタンクから塗型剤吸引口を介してスプレーガンに吸引した塗型剤を噴射するようにした塗型剤のスプレー装置において、スプレーガンの圧縮空気供給口とコンプレッサとの間に、電磁弁を開の状態にして圧縮空気を連続供給する第１供給系と、電磁弁の間欠的な開閉を繰り返して圧縮空気を間欠的に供給する第２供給系とを並列で設け、双方の電磁弁を制御部に接続して、該制御部のスイッチ操作により、圧縮空気の供給を停止するか、第１供給系を介して圧縮空気を連続供給するか又は第２供給系を介して圧縮空気を間欠的に供給するかを選択できるようにして成る塗型剤のスプレー装置に係る。
【０００７】
本考案に係る塗型剤のスプレー装置（以下、単に本考案のスプレー装置という）も、スプレーガンと、該スプレーガンの塗型剤吸引口に取付けられたタンクと、該スプレーガンの圧縮空気供給口に接続されたコンプレッサとを備え、コンプレッサから圧縮空気供給口を介してスプレーガンに供給した圧縮空気を該スプレーガンの噴射ノズルから噴射し、これと共にタンクから塗型剤吸引口を介してスプレーガンに吸引した塗型剤を噴射するようになっている。
【０００８】
本考案のスプレー装置では、スプレーガンの圧縮空気供給口とコンプレッサとの間に、電磁弁を開の状態にして圧縮空気を連続供給する第１供給系と、電磁弁の間欠的な開閉を繰り返して圧縮空気を間欠的に供給する第２供給系とを並列で設け、双方の電磁弁を制御部に接続して、該制御部のスイッチ操作により、圧縮空気の供給を停止するか、第１供給系を介して圧縮空気を連続供給するか又は第２供給系を介して圧縮空気を間欠的に供給するかを選択できるようになっている。
【０００９】
例えば、スプレーガンの圧縮空気供給口に方向制御（方向切替弁）を接続し、またコンプレッサにレギュレータ（流量調節弁）を接続して、かかる方向制御弁とレギュレータとの間に第１供給系及び第２供給系を並設し、それぞれの系に電磁弁を設け、かかる双方の系の電磁弁を制御部に接続する。制御部には通常、停止スイッチ、連続運転スイッチ及び間欠運転スイッチを設け、停止スイッチを付勢すると、第１供給系及び第２供給系の双方の電磁弁が閉の状態になり、また連続運転スイッチを付勢すると、第１供給系の電磁弁が開の状態になると共に第２供給系の電磁弁が閉の状態になって、更に間欠運転スイッチを付勢すると、第１供給系の電磁弁が閉の状態になると共に第２供給系の電磁弁が間欠的に開の状態を繰り返すようにする。
【００１０】
制御部には、第２供給系の電磁弁と間欠運転スイッチとを接続するようにして、マイクロコンピュータや複数の無接点リレー等で構成した制御回路を設け、前記の間接運転スイッチを付勢したときに、予めマイクロコンピュータに設定しておいた時間と間隔で第２供給系の電磁弁が間欠的に開の状態を繰り返すようにする。試行錯誤した結果から実際のところ、第２供給系の電磁弁を開とし、したがって圧縮空気と共に塗型剤を噴射する１回の時間は０．０６秒とするのが好ましく、かかる噴射を１秒間に９〜１６回、より好ましくは１４〜１６回行なうようにする。
【考案の効果】
【００１１】
本考案によると、金型の部位による表面形状に応じて、作業者が塗型剤を連続噴射するか又は間欠的に噴射するかを選択でき、結果として金型の全表面に塗型剤を均一且つ充分に塗布することができ、また金型の表面温度の低下も少なくすることができるという効果がある。
【図面の簡単な説明】
【００１２】
【図１】本考案のスプレー装置を一部ブロックで略示する全体図である。
【実施例】
【００１３】
図１に略示した本考案のスプレー装置は、スプレーガン１１と、コンプレッサ２１と、タンク３１と、制御部４１と、第１供給系５１と、第２供給系６１とを備えている。スプレーガン１１それ自体は公知のもので、本体１２と、把持部１３と、トリガー１４とを備え、圧縮空気供給口１５及び塗型剤吸引口１６を有すると共に、本体１２内に図示しない噴射ノズルを有している。
【００１４】
スプレーガン１１の圧縮空気供給口１５とコンプレッサ２１との間に、電磁弁５２を開の状態にして圧縮空気を連続供給する第１供給系５１と、電磁弁６２の間欠的な開閉を繰り返して圧縮空気を間欠的に供給する第２供給系６１とが並列で設けられており、双方の電磁弁５２，６２は制御部４１に接続されていて、制御部４１のスイッチ操作により、圧縮空気の供給を停止するか、第１供給系５１を介して圧縮空気を連続供給するか又は第２供給系６１を介して圧縮空気を間欠的に供給するかが選択できるようになっている。
【００１５】
図面では、スプレーガン１１の圧縮空気供給口１５に方向制御弁７１が接続されており、またコンプレッサ２１にレギュレータ７２が接続されていて、かかる方向制御弁７１とレギュレータ７２との間に第１供給系５１及び第２供給系６１が並設され、それぞれの系に電磁弁５２，６２が設けられている。そして、第１供給系５１及び第２供給系６１の電磁弁５２，６２は制御部４１に接続されている。制御部４１には停止スイッチ４２、連続運転スイッチ４３及び間欠運転スイッチ４４が設けられており、停止スイッチ４２を付勢すると、第１供給系５１及び第２供給系６１の双方の電磁弁５２，６２が閉の状態になり、また連続運転スイッチ４３を付勢すると、第１供給系５１の電磁弁５２が開の状態になると共に第２供給系６１の電磁弁６２が閉の状態になって、更に間欠運転スイッチ４４を付勢すると、第１供給系５１の電磁弁５２が閉の状態になると共に第２供給系６１の電磁弁６２が間欠的に開の状態を繰り返すようになっている。
【００１６】
制御部４１には、第２供給系６１の電磁弁６２と間欠運転スイッチ４４とを接続するようにして、いずれも図示しないマイクロコンピュータや複数の無接点リレー等で構成した制御回路が設けられており、間接運転スイッチ４４を付勢したときに、予めマイクロコンピュータに設定しておいた時間と間隔で第２供給系６１の電磁弁６２が間欠的に開の状態を繰り返すようになっている。この場合、第２供給系６１の電磁弁６２を開とし、したがって圧縮空気と共に塗型剤を噴射する１回の時間は０．０６秒とすると共に、かかる噴射を１秒間に１４〜１６回は行なうようになっている。
【符号の説明】
【００１７】
１１        スプレーガン
１５        圧縮空気供給口
１６        塗型剤吸引口
２１        コンプレッサ
３１        タンク
４１        制御部
５１        第１供給系
５２、６２  電磁弁
６１        第２供給系
７１        方向制御弁
７２        レギュレータ
【図１】
0003175522.tif 000003